(57)【特許請求の範囲】
【請求項１】
移動農機の後部にマルチフィルム被覆装置Ｃを配置し、ロール状に巻いたマルチフィルムロールＦを左右水平方向に保持する構成において、ロール状に巻いたマルチフィルムロールＦを左右のマルチフィルムホルダーＨで支持し、
該マルチフィルムホルダーＨは、マルチフィルム支持フレーム２２の上面の両側に支持パイプ４５・４５が左右方向に固設され、該支持パイプ４５・４５に、取付杆４６・４７が左右摺動可能に挿入され、止めネジ６２・６２によって位置決め固定できるようにし、該取付杆４６・４７の、一側の取付杆４６には、回動可能にロールガイド２７を取り付け、他側の取付杆４７には、ロールガイド２７を一体的に取り付け、
該ロールガイド２７は、前上側に突出した傾斜部分で予備のマルチフィルムロールＦ１・・・の左右をも、同時に押さえるように構成したことを特徴とするマルチフィルム被覆装置のマルチフィルムホルダー。
【発明の詳細な説明】
【０００１】
【発明の属する技術分野】
本発明は、トラクタや管理機等の移動農機後部に畝整形器とマルチフィルム被覆装置を配置し、ロール状に巻いたマルチフィルムの両側を支持する構成に関する。
【０００２】
【従来の技術】
従来から野菜を栽培するために、圃場において畝整形を行うと同時にマルチフィルムを敷設することは行われており、マルチフィルムを敷設することによって土壌の温度を高めたり、保温したりして作物の生育を助長したり、作物を植えた場所以外の畝面に雑草が生えないようにしていた。
このマルチフィルムを機械的に敷設するマルチフィルム被覆装置も公知となっており、ロール状に巻いたマルチフィルム（以下マルチフィルムロール）の一端を引き出して、整形された畝上に被せて、両側を押さえるようにしていた。このマルチフィルムロールは両側がホルダーによって支持されていたのである。
【０００３】
【発明が解決しようとする課題】
従来のマルチフィルムロールＦのホルダーＨ’は、図７に示すように、パイプ状の支持フレーム６０の両側に、Ｌ字状に構成した取付杆６１が左右摺動自在に挿入され、止めネジ６２・６２によって位置決め固定されている。そして、取付杆６１の内側端部に、ロールの芯部分Ｆａを支持するテーパー状に構成されたボビン６３が設けられていた。
このホルダーＨ’にマルチフィルムロールＦを取り付ける場合には、まず、右側の止めネジ６２を弛めて取付杆６１を任意の位置に摺動して止めネジ６２で固定しておき、マルチフィルムロールＦの片側をボビン６３に支持し、次に、他側の取付杆６１を摺動してボビン６３に芯部分Ｆａを支持させてから止めネジ６２で固定していたので、大変手間がかかり、取付時には常時マルチフィルムロールＦを人手で支えている必要があるためセットがやり難くかったのである。
【０００４】
【課題を解決するための手段】
本発明が解決しようとする課題は以上の如くであり、次に該課題を解決するための手段を説明する。
移動農機の後部にマルチフィルム被覆装置Ｃを配置し、ロール状に巻いたマルチフィルムロールＦを左右水平方向に保持する構成において、ロール状に巻いたマルチフィルムロールＦを左右のマルチフィルムホルダーＨで支持し、該マルチフィルムホルダーＨは、マルチフィルム支持フレーム２２の上面の両側に支持パイプ４５・４５が左右方向に固設され、該支持パイプ４５・４５に、取付杆４６・４７が左右摺動可能に挿入され、止めネジ６２・６２によって位置決め固定できるようにし、該取付杆４６・４７の、一側の取付杆４６には、回動可能にロールガイド２７を取り付け、他側の取付杆４７には、ロールガイド２７を一体的に取り付け、該ロールガイド２７は、前上側に突出した傾斜部分で予備のマルチフィルムロールＦ１・・・の左右をも、同時に押さえるように構成したものである。
【０００５】
【発明の実施の形態】
本発明の車輪式移動装置を説明する。
図１はマルチフィルム被覆装置の全体側面図、図２は同じく斜視図、図３はロールカバーを開けた状態の斜視図、図４はマルチフィルムホルダーの後面図、図５は同じく片側を解除した状態の一部後面図、図６はマルチフィルムホルダーの側面図である。
【０００６】
図１、図２において、移動農機をトラクタ１として、該トラクタ１の後部に装着した紙マルチフィルムのマルチフィルム被覆装置Ｃの全体構成から説明する。
トラクタ１の後部には３点リンク式の作業機装着装置Ａを介して作業機としてロータリ耕耘装置Ｂが装着されている。ロータリ耕耘装置Ｂの前左右中央のギアボックスとトラクタ１の後面より突出したＰＴＯ軸との間には、ユニバーサルジョイント２を介装して、該ロータリ耕耘装置Ｂのギアボックスから伝動軸やチェーンケース３内の、チェーンやスプロケット等を介して、耕耘爪軸に動力を伝え、耕耘爪軸上に植設した耕耘爪８を回動することで圃場を内盛り状に耕す。
【０００７】
前記ロータリ耕耘装置Ｂのサポート部より後方に、デプスフレーム４が後方に上下回動自在に突出され、該デプスフレーム４の両側下方にゲージ輪５・５が軸支されている。
該デプスフレーム４とトップリンク支持アーム６との間には、長さ調節可能な調節リンク７を介装して、該調節リンク７はハンドル９を回動することによってゲージ輪５・５を上下して、ロータリ耕耘装置Ｂの耕耘深さを調節できるようにしている。
【０００８】
また、ロータリ耕耘装置Ｂの両側の、チェーンケース３及びサイドサポートより後方に支持フレーム１０・１０を突設し、該支持フレーム１０・１０の後部に取付ビーム１１を横設し、該取付ビーム１１の両側よりステー１２・１２を後下方に突設している。以下左右対称に構成されているので、一側に付いて説明する。
該ステー１２の後下部に、取付パイプ１４を上下位置調節可能に横設し、該取付パイプ１４に畝整形板１３を左右位置調節可能に取り付けて、耕耘と同時に畝整形を行っている。そして更に、前記取付パイプ１４の外側に溝付アーム１５の前端を枢支し、該溝付アーム１５と取付パイプ１４より下方へ垂設したステー１６との間にバネ１７を介装して、溝付アーム１５を下方回動するように付勢するとともに、上方へ回動したときには死点越えとなって、上方回動位置で維持でき、収納できるようにしている。前記溝付アーム１５の後部には、踏圧輪１８が回転自在に支持され、その後部に覆土ディスク１９が配置されて、溝付け覆土機構を構成している。
【０００９】
そして、前記取付ビーム１１上に、支柱２０・２０を立設し、該支柱２０・２０にマルチフィルム被覆装置Ｃが装着されている。即ち、支柱２０・２０に上下位置調節可能に、側面視Ｌ字状の載置フレーム２１・２１の前部が固定され、本実施例では、支柱２０・２０に上下方向に開口したピン孔に、載置フレーム２１・２１の前部に、ピンを抜き差しすることにより上下位置調節可能としている。
該載置フレーム２１・２１の後下部に、水平方向にマルチフィルム支持フレーム２２が固設され、該マルチフィルム支持フレーム２２は四角形の枠状に構成されて、内側の左右方向の長さをマルチフィルムＦｃの幅よりも長くしている。該マルチフィルム支持フレーム２２の内側の前後左右両側には、支持ローラー２３・２３・２３・２３が回転自在に枢支され、該支持ローラー２３・２３・２３・２３上に、マルチフィルムＦｃを巻いたマルチフィルムロールＦを、左右方向に、かつ回転自在に載置できるようにして、作業用のマルチフィルムロールＦの載置部を構成している。
【００１０】
そして、前記載置フレーム２１・２１の中途部の後面に、円柱状のストッパー２６・２６が付設され、該ストッパー２６・２６と載置フレーム２１・２１上に予備のマルチフィルムロールＦ１を載置できるようにし、このストッパー２６・２６によって載置部上のマルチフィルムロールＦと接触しないようにして、マルチフィルムＦｃが引き出されるときの回転を邪魔しないようにしている。但し、ストッパー２６の形状は限定するものではなくマルチフィルムロールＦ１を受け止められて、補充するときに容易に乗り越えられる構成のものであればよい。更に予備のマルチフィルムロールＦ１と支柱２０の間の上に、予備のマルチフィルムロールＦ２を載置できるようにしており、マルチフィルムロールＦ・Ｆ１・Ｆ２を、斜め方向に連続して配置することで、前後方向及び上下方向に長くなることを防止している。
但し、本実施例では二つの予備のマルチフィルムロールを載置できるようにしているが、３本以上であってもよくその数は限定するものではない。そしてこのマルチフィルムロールＦ・Ｆ１・Ｆ２の左右は後述する本発明のマルチフィルムホルダーＨによって保持されている。
【００１１】
また、前記マルチフィルム支持フレーム２２の下部には、切断装置Ｄが配置されて、圃場端や作業終了時に切断ハンドル３５を引っ張るとワイヤーが引かれて、マルチフィルムＦを長手方向に対して直角方向に切断できるようにしている。
また、マルチフィルム支持フレーム２２の後左右中央にガイドローラー取付フレーム２４が上下及び前後位置調整可能に取り付けられ、該ガイドローラー取付フレーム２４にガイドローラー２５が回転自在に支持されて、引出しガイド機構機を構成している。該ガイドローラー２５は、畝の形状に合わせた円錐状に構成されて、一対対向して配置されている。
【００１２】
そして、前記支柱２０・２０の上端には蝶番３０・３０が配置され、ロールカバー３１の前部を枢支し、該ロールカバー３１は、載置するマルチフィルムロールＦ・Ｆ１・Ｆ２の上方及び前後左右側面を十分覆う大きさとして、このロールカバー３１によって予備のマルチフィルムロールＦ１・Ｆ２を保持して振動や揺れ等で落下しないようにしている。
そして、ロールカバー３１の後端部には係止具３２を配置しており、該係止具３２に係止される被係止具３３が前記マルチフィルム支持フレーム２２の後部上に立設した取付体３４上に設けられている。
【００１３】
このようにして、マルチフィルムロールＦからマルチフィルムＦｃの一端を前記前後の支持ローラー２３・２３・２３・２３の間から下方に引出し、ガイドローラー２５の下方から後方へ引出し、畝端に固定して、走行しながら耕耘作業を行えば、同時にマルチフィルムＦｃが引き出されて、マルチフィルムＦｃの両側は踏圧輪１８に押さえられて、覆土ディスク１９によって土が被せられて押さえることができ、畝上にマルチフィルムＦｃを敷設することができる。
そして、マルチフィルムＦｃがなくなると、ロールカバー３１を上方に回動して開け、予備のマルチフィルムＦ１を落下させれば、支持ローラー２３・２３・２３・２３上に落ちて、端部を引き出して容易に被覆作業を続行でき、予備のマルチフィルムロールＦ２はストッパー２６・２６によって受け止められるのである。
【００１４】
次に本発明のマルチフィルムホルダーＨの構成を、図３〜図６より説明する。
前記マルチフィルム支持フレーム２２の前上面の両側に支持パイプ４５・４５が左右方向に固設され、該支持パイプ４５・４５に、取付杆４６・４７が左右摺動可能に挿入され、止めネジ６２・６２によって位置決め固定できるようにしている。この一側（本実施例では左側）の取付杆４６に回動可能にロールガイド２７が取り付けられ、他側の取付杆４７には、ロールガイド２７が一体的に取り付けられている。該ロールガイド２７は、図３・図６に示すように側面視略「イ」状に構成されて、前上側の傾斜部分で予備のマルチフィルムロールＦ１・Ｆ２を押さえるようにし、後下側の傾斜部分にはプレート２７ａを設けて、該プレート２７ａに上下方向に長孔２７ｂを開口し、該長孔２７ｂにボビン６３の取付軸６３ａをマルチフィルムロールＦの巻太さに応じて上下位置を調節して固定し、該ボビン６３の内側は円錐状に構成されて、取付軸６３ａに対して回転自在として、ボビン６３がマルチフィルムロールＦの芯部分Ｆａに嵌合するようにしている。
【００１５】
そして、前記左側の取付杆４６に、回動可能にロールガイド２７を取り付ける構成は、図４、図５、図６に示すように、取付杆４６の外側端部にブラケット４９を設け、該ブラケット４９の上部にロールガイド２７の垂直杆２７ｃの下端を枢支軸５０にて回動自在に枢支し、該垂直杆２７ｃと取付杆４６の間にはバネ５１を介装して、垂直杆２７ｃをマルチフィルムロールＦ側へ回動するように付勢している。
前記ブラケット４９の上部の左右にはストッパー５２・５３を設けて、ロールガイド２７を垂直方向に回動したときにはストッパー５２によって止め、ロールガイド２７を外方向に回動したときにはストッパー５３によって止めるようにしている。この時、バネ５１は死点越えとなって、その外方向への回動状態に維持される。
【００１６】
このような構成において、マルチフィルムロールＦをセットするときには、左側のマルチフィルムホルダーＨを枢支軸５０を中心に外側へ回動して、支持ローラー２３・２３・２３・２３上にマルチフィルムロールＦを、機体に対して左右均等位置となるように載せて、左側のマルチフィルムホルダーＨを元の方向へ回動して戻し、止めネジ６２を弛めて、取付杆４６・４７を移動して、芯部分Ｆａにボビン６３を嵌合させて、左側のマルチフィルムホルダーＨは常時バネ５１によってマルチフィルムロールＦを保持する方向に付勢させて、止めネジ６２を固定する。
こうして、マルチフィルムＦｃを引き出すときには、バネ５１によってボビン６３に適当なブレーキがかかるようになり、引っ張るときの慣性力でマルチフィルムＦｃにたるみが生じることがなくなる。
【００１７】
マルチフィルムＦｃがなくなると、左側のマルチフィルムホルダーＨを枢支軸５０を中心に外側へ回動して、ボビン６３を芯部分Ｆａから外し、芯部分Ｆａを除いて、上方の予備のマルチフィルムロールＦ１を下ろして、右側の芯部分Ｆａをボビン６３に嵌合して、左側のマルチフィルムホルダーＨを元の方向へ回動して戻し、ボビン６３を芯部分Ｆａ嵌合すれば簡単にセットできるのである。
【００１８】
【発明の効果】
本発明は以上の如く構成したので、次のような効果を奏するのである。
移動農機の後部にマルチフィルム被覆装置Ｃを配置し、ロール状に巻いたマルチフィルムロールＦを左右水平方向に保持する構成において、ロール状に巻いたマルチフィルムロールＦを左右のマルチフィルムホルダーＨで支持し、該マルチフィルムホルダーＨは、マルチフィルム支持フレーム２２の上面の両側に支持パイプ４５・４５が左右方向に固設され、該支持パイプ４５・４５に、取付杆４６・４７が左右摺動可能に挿入され、止めネジ６２・６２によって位置決め固定できるようにし、該取付杆４６・４７の、一側の取付杆４６には、回動可能にロールガイド２７を取り付け、他側の取付杆４７には、ロールガイド２７を一体的に取り付け、該ロールガイド２７は、前上側に突出した傾斜部分で予備のマルチフィルムロールＦ１・・・の左右をも、同時に押さえるように構成したので、マルチフィルムロールを新たにセットしたり、使用した後に取り替える場合に、一側のマルチフィルムロールの芯部分を一側のホルダーのボビンにセットし、他側はホルダーを回動して、他側のボビンに合わせるだけでセットでき、工具なしで取り替え作業が簡単にできるようになり、取り替え、セット時間を短縮でき、作業能率を向上することができたのである。
【図面の簡単な説明】
【図１】  マルチフィルム被覆装置の全体側面図である。
【図２】  同じく斜視図である。
【図３】  ロールカバーを開けた状態の斜視図である。
【図４】  マルチフィルムホルダーの後面図である。
【図５】  同じく片側を解除した状態の一部後面図である。
【図６】  マルチフィルムホルダーの側面図である。
【図７】  従来のマルチフィルムホルダーの平面図とマルチフィルムを外した状態の平面図である。
【符号の説明】
Ｃ    マルチフィルム被覆装置
Ｆ    マルチフィルムロール
Ｆ１・Ｆ２  予備のマルチフィルムロール
Ｈ    マルチフィルムホルダー
【図１】
0003642901.tif 000002
【図２】
0003642901.tif 000003
【図３】
0003642901.tif 000004
【図４】
0003642901.tif 000005
【図５】
0003642901.tif 000006
【図６】
0003642901.tif 000007
【図７】
0003642901.tif 000008